(57)【特許請求の範囲】
【請求項１】
基板上へ実装されるインシュレータと、該インシュレータにカードを挿入方向で受け入れて前記カードのカード接点部に接触するよう前記インシュレータに組み付けた導電性のコンタクトとを含むカード接続用コネクタにおいて、
前記インシュレータは、前記基板上へ前記インシュレータを実装したときに前記基板に対して所定間隔をもって対向する平板状の主板部と、前記挿入方向及び前記挿入方向とは逆向きの抜去方向へ前記カードをガイドするよう前記主板部に接続した互いに対向する一対のガイド板部とを有し、前記コンタクトは、前記インシュレータに保持される保持部と、該保持部の一端側から前記挿入方向を交差する方向でかつ前記主板部に沿って延びて前記主板部の板厚方向へ変形可能なバネ部と、前記保持部の他端側から前記インシュレータの外へ延びて前記基板に設けられている導電部に接続する端子部とを有し、前記バネ部には、前記基板上で前記主板部と前記ガイド板部とによって形成されているカード収容空間へ突出して前記カードを押圧しつつ前記挿入方向へ誘導する誘導部が設けられており、該誘導部には、前記カード接点部に接触する接点部が形成されていることを特徴とするカード接続用コネクタ。
【請求項２】
請求項１記載のカード接続用コネクタにおいて、前記ガイド板部に前記保持部が保持されており、前記誘導部が前記主板部を貫通させた通孔から前記カード収容空間へ延びて前記挿入方向へ長い寸法で配設されていることを特徴とするカード接続用コネクタ。
【請求項３】
請求項１記載のカード接続用コネクタにおいて、前記ガイド板部の外面には、前記保持部を圧入して保持する圧入溝が形成されており、前記主板部の外面には、前記バネ部を受け入れるバネ受け部が形成されており、前記主板部には、該バネ受け部の先端部分に前記接点部を前記主板部の外面から内面へ突き出す通孔が形成されていることを特徴とするカード接続用コネクタ。
【請求項４】
請求項１記載のカード接続用コネクタにおいて、前記主板部は、前記挿入方向における寸法よりも前記主板部の前記挿抜方向を直交する方向の寸法が長い寸法であることを特徴とするカード接続用コネクタ。
【発明の詳細な説明】
【０００１】
【発明の属する技術分野】
本発明は、カードを接続するために携帯端末のような小形の小型電子機器に採用するカード接続用コネクタに属する。
【０００２】
【従来の技術】
先行技術として図５及び図６に示すカード接続用コネクタ１０１は、インシュレータ１１１と、インシュレータ１１１に組み付けられている複数の導電性コンタクト１１３とを有している。
【０００３】
このカード接続用コネクタ１０１は、コンタクト１１３を組み付けた後のインシュレータ１１１がプリント回路基板のような基板（図示せず）に実装される。そして、インシュレータ１１１には、図５に示した挿入方向Ａでメモリカード、ＩＣカードのような薄板形状のカードが挿入されて受け入れられてコンタクト１１３に接続されるものである。さらに、コンタクト１１３に接続した状態のカード１２１は、挿入方向Ａとは逆向きの抜去方向Ｂ（図５を参照）へカードを引き抜くことができるものである。
【０００４】
インシュレータ１１１は、基板に対して所定間隔をもって対向する平板状の底板部１１１ａと、底板部１１１ａに対向している天板部１１１ｂと、底板部１１１ａ及び天板部１１１ｂを相互に接続している一対のガイド板部１１１ｄ，１１１ｅとを有している。
【０００５】
底板部１１１ａ、天板部１１１ｂ及び一対のガイド板部１１１ｄ，１１１ｅは、これらでカード１２１を収容するカード収容空間Ｓを構成している。底板部１１１ａには、挿入方向Ａ及び抜去方向Ｂで６本のコンタクトが所定間隔をもって並べられている。カード１２１には、図６に示したように、一面にコンタクト１１３に一対一に接触するカード接点部１２１ａが設けられている。
【０００６】
複数のコンタクト１１３のそれぞれは、インシュレータ１１１の底板部１１１ａに保持されている保持部１１３ａと、保持部１１３ａの一端側から挿入方向Ａ及び抜去方向Ｂへ延びかつカード１２１の板厚方向Ｃへ変形可能なバネ部１１３ｂと、保持部１１３ａの他端側からインシュレータ１１１の外へ延びて基板に設けられている導電部（図示せず）に接続する端子部１１３ｃとを有している。
【０００７】
バネ部１１３ｂの先端には、カード収容空間Ｓへ突出しかつ複数のカード接点部１２１ａに一対一に接触する接点部（図示せず）が形成されている。底板部１１１ａには、バネ部１１３ｂをカード１２１の板厚方向Ｃへ変形可能と為すように、長孔１１１ｇが形成されている。長孔１１１ｇにはバネ部１１３ｂが位置している。
【０００８】
基板上にカード接続用コネクタ１０１を実装するには、インシュレータ１１１にコンタクト１１３を組み付けた後、端子部１１３ｃをリフロー半田などの半田処理によって基板の導電部に半田付けする。
【０００９】
コンタクト１１３の接点部は、バネ部１１３ｂと同じ方向へ延びており、カードが挿入方向Ａで挿入されるため、カード１２１がカード収容空間Ｓの所定位置まで挿入されて収容されたときには、接点部にカード１２１のカード接点部１２１ａが一対一に接触する。
【００１０】
【発明が解決しようとする課題】
しかしながら、先行技術におけるカード接続用コネクタ１０１では、バネ部１１３ｂの先端に接点部が形成されているのみであることから、カード１２１がカード収容空間Ｓへ円滑に挿入できないという問題がある。
【００１１】
また、先行技術におけるカード接続用コネクタ１０１では、底板部１１１ａと天板部１１１ｂにカード１２１が挟まれる構造のため、実装高さの抑制に限界があるという問題がある。
【００１２】
それ故に本発明の課題は、カードを円滑に挿入することができ、小形かつ薄形のカード接続用コネクタを提供することにある。
【００１３】
【課題を解決するための手段】
本発明によれば、基板上へ実装されるインシュレータと、該インシュレータにカードを挿入方向で受け入れて前記カードのカード接点部に接触するよう前記インシュレータに組み付けた導電性のコンタクトとを含むカード接続用コネクタにおいて、前記インシュレータは、前記基板上へ前記インシュレータを実装したときに前記基板に対して所定間隔をもって対向する平板状の主板部と、前記挿入方向及び前記挿入方向とは逆向きの抜去方向へ前記カードをガイドするよう前記主板部に接続した互いに対向する一対のガイド板部とを有し、前記コンタクトは、前記インシュレータに保持される保持部と、該保持部の一端側から前記挿入方向を交差する方向でかつ前記主板部に沿って延びて前記主板部の板厚方向へ変形可能なバネ部と、前記保持部の他端側から前記インシュレータの外へ延びて前記基板に設けられている導電部に接続する端子部とを有し、前記バネ部には、前記基板上で前記主板部と前記ガイド板部とによって形成されているカード収容空間へ突出して前記カードを押圧しつつ前記挿入方向へ誘導する誘導部が設けられており、該誘導部には、前記カード接点部に接触する接点部が形成されていることを特徴とするカード接続用コネクタが得られる。
【００１４】
【作用】
本発明では、インシュレータの主板部を基板に対向させて基板上に実装し、コンタクトの誘導部を主板部からカード収容空間へ突出させる。カード収容空間には、コンタクトのバネ部に対してほぼ直角な方向からカードが挿入方向で挿入され、誘導部によって、カードが滑らかに挿入方向で挿入される。
【００１５】
また、誘導部には接点部が形成されているので、誘導部がカードのカード接点部を押圧しつつ接点部に接触させることが可能となる。
【００１６】
【発明の実施の形態】
以下、本発明に係るカード接続用コネクタの一実施の形態例を説明する。図１は、本発明の一実施の形態例におけるカード接続用コネクタと、カード接続用コネクタを実装した基板、及びカード接続用コネクタに接続するカードを示している。図２は、図１に示したカード接続用コネクタを底側から鏡写しした状態を示している。図３は、図１に示したカード接続用コネクタの断面を示している。
【００１７】
図１乃至図３を参照して、カード接続用コネクタ１０は、インシュレータ１１と、インシュレータ１１に組み付けられている複数の導電性コンタクト１３とを有している。この実施の形態例におけるカード接続用コネクタ１０には、複数本のコンタクト１３が組み付けられているインシュレータ１１がプリント回路基板のような基板２０に実装される。インシュレータ１１には、図１に示した挿入方向Ａでメモリカード、ＩＣカードのような薄板形状のカード２１が挿入されて受け入れられてコンタクト１３に接続されるものである。さらに、コンタクト１３に接続した状態のカード２１は、挿入方向Ａとは逆向きの抜去方向Ｂ（図１を参照）へ引き抜くことができるものである。
【００１８】
インシュレータ１１は、基板２０に対して所定間隔をもって対向する平板状の主板部１１ａと、主板部１１ａに接続されかつ互いに平行に対向している一対のガイド板部１１ｄ，１１ｅと、カード２１が挿入方向Ａでカード収容空間Ｓの所定位置まで挿入されたときに挿入方向Ａの移動を規制する規制板部１１ｆとを有している。一対のガイド板部１１ｄ，１１ｅは、挿入方向Ａ及び抜去方向Ｂへのカード２１の移動をガイドする役目を果たす。
【００１９】
この実施の形態例においては、挿入方向Ａ及び抜去方向Ｂで６本のコンタクトが３本づつ先端側で対向するように所定間隔をもって並べられているが、位置ずれして配置されていてもよい。カード２１には、一面にコンタクト１３に一対一に接触する６個所にカード接点部２１ａが設けられている。主板部１１ａの挿入方向Ａ及び抜去方向Ｂを直角に交差する方向の寸法は、主板部１１ａの挿入方向Ａの寸法よりも長い寸法となっている。
【００２０】
複数のコンタクト１３のそれぞれは、図４にも示すように、インシュレータ１１に保持されている保持部１３ａと、保持部１３ａの一端側から挿入方向Ａ及び抜去方向Ｂを交差する方向で主板部１１ａに沿って延びかつカード２１の板厚方向Ｃへ変形可能なバネ部１３ｂと、保持部１３ａの他端側からインシュレータ１１の外へ延びて基板２０に設けられている導電部（図示せず）に接続する端子部１３ｃとを有している。
【００２１】
なお、この実施の形態例におけるコンタクト１３では、挿入方向Ａ及び抜去方向Ｂで並んでいる３本のコンタクト１３におけるバネ部１３ｂと、他方で並んでいる３本のコンタクト１３におけるバネ部１３ｂとの寸法が異なっている。
【００２２】
バネ部１３ｂには、基板２０上で主板部１１ａと一対のガイド板部１１ｄ，１１ｅとによって形成されているカード収容空間Ｓへ突出してカード２１を基板２０へ向けて押圧しつつ挿入方向Ａへ誘導する誘導部１３ｆが設けられている。誘導部１３ｆは，挿入方向Ａ及び抜去方向Ｂ間が湾曲若しくは傾斜するように曲げられてカード収容空間Ｓへ突出している。誘導部１３ｆには、挿入方向Ａ及び抜去方向Ｂ間で曲げられてカード収容空間Ｓへ突出してカード２１の一面に設けられている複数のカード接点部２１ａに一対一に接触する接点部１３ｇが形成されている。
【００２３】
ガイド板部１１ｄの外面には、コンタクト１３の保持部１３ａを圧入して保持する圧入溝１１ｍが形成されている。主板部１１ａの外面には、バネ部１３ｂがインシュレータ１１の圧入溝１１ｍに引き続き主板部１１ａへ一対のガイド板部
１１ｄ，１１ｅから互いに対向している一対のガイド板部１１ｄ，１１ｅへ向かってバネ受け部１１ｎが形成されている。
【００２４】
バネ受け部１１ｎは、主板部１１ａを板厚方向Ｃで貫通するように長孔形状としたものである。バネ受け部１１ｎの先端部分には、誘導部１３ｆ及び接点部１３ｇを主板部１１ａの外面側から内面へ突き出す通孔１１ｐが形成されている。なお、誘導部１３ｆの挿入方向Ａ及び抜去方向Ｂにおける両端は、通孔１１ｐの壁部近傍に位置しているか、通孔１１ｐに入り込んでいる形態となっている。
【００２５】
基板２０上にカード接続用コネクタ１０を実装するには、インシュレータ１１にコンタクト１３を組み付けた後、端子部１３ｃをリフロー半田などの半田処理によって基板２０の導電部に端子部１３ｃを半田付けする。このように半田付けされた状態におけるカード接続用コネクタ１０は、端子部１３ｃが基板２０に固定されるとともに、コンタクト１３の保持部１３ａがインシュレータ１１におけるガイド板部１１ｄ，１１ｅの圧入溝１１ｍに圧入されて保持されているので、ガタツキがなく実装できる。
【００２６】
コンタクト１３は、バネ部１３ｂに対してほぼ直角な方向からカード２１が挿入方向Ａで挿入されるため、挿入方向Ａに長い寸法で湾曲もしくは傾斜している誘導部１３ｆの面によって、カード２１が滑らかに挿入方向Ａで挿入される。そして、カード２１がカード収容空間Ｓの所定位置まで挿入されて収容されたときには、誘導部１３ｆの最もカード収容空間Ｓへ突出して形成されている接点部１３ｇにカード２１のカード接点部２１ａが一対一に接触する。
【００２７】
なお、カード２１をカード収容空間Ｓから引き出すには、カード２１を手によってつまみ、抜去方向Ｂへ引き出すと容易にカード２１を取り外すことができる。
【００２８】
【発明の効果】
以上説明したように、本発明では、主板部を基板に対向させてインシュレータを基板上に実装したときに、コンタクトの誘導部がカード収容空間へ突出しており、このときカードをカード収容空間へ挿入するようにしたので、インシュレータの高さ寸法を低減することができ、小形かつ薄形を指向する機器の取り付けにあっては、最適なカード接続用コネクタを提供できる。即ち、インシュレータは、基板側に板部分を不要としたことによって、基板上にインシュレータを実装したときにカード接続用コネクタそのものを低背化することができる。
【００２９】
さらに、コンタクトバネ部に対してほぼ直角な方向からカードが挿入方向で挿入されるため、挿入方向へ長い寸法の誘導部によって、カードが滑らかに挿入方向で挿入することができる。
【図面の簡単な説明】
【図１】本発明に係るカード接続用コネクタの一実施の形態例を基板及びカードとともに示した斜視図である。
【図２】図１に示したカード接続用コネクタを底側から鏡写しした状態を示す斜視図である。
【図３】図１に示したカード接続用コネクタのＩＩＩ−ＩＩＩ線断面図である。
【図４】図１に示したカード接続用コネクタのコンタクトを示す斜視図である。
【図５】先行技術におけるカード接続用コネクタ及びカードを示す斜視図である。
【図６】図５に示したカード接続用コネクタ及びカードの裏側から見た斜視図である。
【符号の説明】
１０，１０１    カード接続用コネクタ
１１，１１１    インシュレータ
１１ａ，１１１ａ    主板部
１１ｄ，１１ｅ，１１１ｄ，１１１ｅ    ガイド板部
１１ｍ    圧入溝
１１ｎ    バネ受け部
１１ｐ    通孔
１３，１１３    コンタクト
１３ａ，１１３ａ    保持部
１３ｂ，１１３ｂ    バネ部
１３ｃ，１１３ｃ    端子部
１３ｆ    誘導部
１３ｇ    接点部
２０    基板
２１，１２１    カード
２１ａ，１２１ａ    カード接点部
Ｓ    カード収容空間
【図１】
0003569847.tif 000002
【図２】
0003569847.tif 000003
【図３】
0003569847.tif 000004
【図４】
0003569847.tif 000005
【図５】
0003569847.tif 000006
【図６】
0003569847.tif 000007